(57)【特許請求の範囲】
【請求項１】
四角形状の内枠と外枠とからなる枠体で、内枠の前面に、フィルム、シート類を介して、外枠をかぶせ、該フィルム、シート類を内枠と外枠とで挾みながら、少なくとも枠体の対向する２辺にて展張支持する治具であって、内枠の外側面とこれに対応する外枠の内側面とに、互いに嵌合する嵌合部を設け、内枠と外枠とでフィルム、シート類を挾み固定するもので、展張支持する枠体の対向する２辺において、内枠の辺の前面には、枠体の外側に向かい傾斜する傾斜面をもつ凹部を設け、外枠の辺には、外枠を内枠へかぶせた際の該凹部に対応する位置に、突起部を設け、内枠に外枠をかぶせる際には、外枠の突起部は内枠の凹部の傾斜面に沿いながら、フィルム、シート類を挾み展張し、内枠に外枠がかぶさった際には、該凹部とフィルム、シート類を介して嵌合し、且つ、フィルム、シート類を介して外枠を内枠にかぶせ、嵌合する際、内枠は、４隅の内側ないし外側に切込み部を設けた四角形状枠に対し、該切込み部の相対する面同士を一時的に接着剤にて仮り接着し、接着前の四角形状枠に比べ枠サイズを小さくして形成されており、内枠と外枠とでフィルム、シート類を挾み展張支持した後、内枠の４隅の切込み部における仮り接着がとれることにより発生する内枠の各辺が枠の外側方向へ拡がろうとする復元力により、フィルム、シート類が更に展張されることを特徴とするフィルム、シート類の展張支持治具。
【請求項２】
請求項１記載の内枠の各辺は、前面側になるに従い、枠体の内側へ向かっており、且つ、内枠は、４隅の外側に切込み部を設けたことを特徴とするフィルム、シート類の展張支持治具。
【請求項３】
請求項１ないし２記載の外枠の突起部は、フィルム、シート類を挾み展張する際に、所定の力以上が掛かるとしなる材質、形状であることを特徴とするフィルム、シート類の展張支持治具。
【請求項４】
請求項１ないし３記載のフィルム、シート類がプロジェクションスクリーン用のレンズシートであることを特徴とする展張支持治具。
【発明の詳細な説明】
【０００１】
【産業上の利用分野】
本発明は，自立性のないフィルム、シート類を枠体に支持する治具に関し、特に、テレビジョン等のプロジェクションスクリーン用のレンズフィルムを展張支持する治具に関する。
【０００２】
【従来の技術】
テレビジョン等のプロジェクションスクリーン用のフレネルレンズにおいては、従来は、自立性のある比較的厚いシートを用い、同心円状にレンズを形成したサーキュラーフレネルレンズが主体で、熱プレスによる成形や紫外線硬化型樹脂を用いた金型による成形がなされていた。
近年は、レンズの光学的損失などによる画質の低下を少なくためのレンズシートの薄板化と、生産性向上のための連続生産の要望から、レンズを直線状に平行に並列して形成したリニアフレネルレンズを、薄いフィルム上に形成したものが作製されるようになってきた。そして、その作製には、グラビア印刷機を応用した機械により、連続した薄いフィルム上に紫外線硬化性の樹脂を所定の形状に転写して、紫外線により硬化させて、リニアフレネルレンズを形成する紫外線硬化法等の方法が採られていた。
このようにして作製される薄く自立性のないリニアフレネルレンズフィルムがプロジェクションスクリーンに用いられる場合の展張支持方法としては、剛性のある板、例えばレンチキュラーレンズシートに抱き合わせる第一の方法、フィルム自体を枠体やキャビネット等の支持物に支持しながら張る第二の方法が知られているが、レンズシートの薄板化対応とシワ、弛み発生の確率を考慮すると第二の方法の方が優れている。
しかし、フィルム自体を枠体に支持しながら張る方法の場合、確実な固定は難しく、また、フィルムに対してシワや弛みを発生させずに、テンション（張力）を掛け続けることは難しく、固定にもかなりコツが必要であった。
【０００３】
【発明が解決しようとする課題】
上記のように、プロジェクションスクリーン用に連続生産される自立性のない薄いリニアフレネルレンズフィルムに対しては、フィルム自体を枠体に支持しながら張る展張の際に、確実な固定ができて、フィルムに対してシワや弛みを発生させずに、テンション（張力）をかけ続けることができ、且つ、固定にはコツを必要としない簡単な、展張支持治具が求められていた。
本発明は、このような状況のもと、プロジェクションスクリーン用に連続生産されるリニアフレネルレンズフィルム等のフィルム、シート類に対し、比較的簡単な構造で、且つ、フィルム、シート類に対してシワや弛みを発生させずに、確実な固定ができて、テンション（張力）を掛け続けることができる展張支持治具を提供しようとするものである。
【０００４】
【課題を解決するための手段】
本発明のフィルム、シート類の展張支持治具は、四角形状の内枠と外枠とからなる枠体で、内枠の前面に、フィルム、シート類を介して、外枠をかぶせ、該フィルム、シート類を内枠と外枠とで挾みながら、少なくとも枠体の対向する２辺にて展張支持する治具であって、内枠の外側面とこれに対応する外枠の内側面とに、互いに嵌合する嵌合部を設け、内枠と外枠とでフィルム、シート類を挾み固定するもので、展張支持する枠体の対向する２辺において、内枠の辺の前面には、枠体の外側に向かい傾斜する傾斜面をもつ凹部を設け、外枠の辺には、外枠を内枠へかぶせた際の該凹部に対応する位置に、突起部（爪部）を設け、内枠に外枠をかぶせる際には、外枠の突起部は内枠の凹部の傾斜面に沿いながら、フィルム、シート類を挾み展張し、内枠に外枠がかぶさった際には、該凹部とフィルム、シート類を介して嵌合し、且つ、フィルム、シート類を介して外枠を内枠にかぶせ、嵌合する際、内枠は、４隅（コーナー部）の内側ないし外側に切込み部を設けた四角形状枠に対し、該切込み部の相対する面同士を一時的に接着剤にて仮り接着し、接着前の四角形状枠に比べ枠サイズを小さくして形成されており、内枠と外枠とでフィルム、シート類を挾み展張支持した後、内枠の４隅（コーナー部）の切込み部における仮り接着がとれることにより発生する内枠の各辺が枠の外側方向へ拡がろうとする復元力により、フィルム、シート類が更に展張されることを特徴とするものである。
そして、上記内枠の各辺は、前面側になるに従い、枠体の内側へ向かっており、且つ、内枠は、４隅（コーナー部）の外側に切込み部を設けたことを特徴とするものである。
そして、上記外枠の突起部（爪部）は、フィルム、シート類を挾み展張する際に、所定の力以上が掛かるとしなる材質、形状であることを特徴とするものである。
そしてまた、上記フィルム、シート類がプロジェクションスクリーン用のレンズシートであることを特徴とするものである。
【０００５】
【作用】
本発明のフィルム、シート類の展張支持治具は、上記のように、構成することにより、フィルム、シート類に対し、比較的簡単な構造で、且つ、フィルム、シート類に対してシワや弛みを発生させずに、確実な固定ができて、テンション（張力）を掛け続けることができる展張部材の提供を可能にしている。
詳しくは、本発明のフィルム、シート類の展張支持治具は、展張支持する枠体の対向する２辺にておいて、内枠外側面とこれに対応する外枠の内側面とに、互いに嵌合する嵌合部を設け、内枠と外枠とでフィルム、シート類を挾み固定することにより、内枠と外枠との固定を確かなものとしており、内枠の辺の上面には、枠の外側に向かい傾斜する傾斜面をもつ凹部を設け、外枠の辺には、外枠を内枠へかぶせた際の該凹部に対応する位置に突起部（爪部）を設け、内枠に外枠をかぶせる際には、外枠の突起部は内枠の凹部の傾斜面に沿いながら、フィルム、シート類を挾み展張し、内枠に外枠がかぶさった際には、該凹部と嵌合することより、外枠を内枠へかぶせる際の展張と支持を確実なものとしている。
更に、フィルム、シート類を介して外枠を内枠にかぶせ、嵌合する際、内枠は、４隅（コーナー部）の内側ないし外側に切込み部を設けた四角形状枠に対し、該切込み部の相対する面同士を一時的に接着剤にて仮り接着し、接着前の四角形状枠に比べ枠サイズを小さくして形成されていることより、内枠と外枠とでフィルム、シート類を挾み展張支持した後、内枠の４隅（コーナー部）の切込み部における仮り接着がとれる。仮り接着がとれることにより発生する内枠の各辺が枠の外側方向へ拡がろうとする復元力により、フィルム、シート類が更に展張される。
そして、上記内枠の各辺は、上面側になるに従い、枠体の内側へ向かっており、且つ、内枠は、４隅（コーナー部）の外側に切込み部を設けたことにより、内枠と外枠とでフィルム、シート類を挾み展張支持した後、内枠の４隅（コーナー部）の切込み部における仮り接着がとれることにより発生する内枠の各辺が枠の外側方向へ拡がろうとする（復元）力によるフィルム、シート類の展張を確実なものとしている。
また、外枠の突起部（爪部）は、フィルム、シート類を挾み展張する際に、所定の力以上が掛かるとしなる材質、形状とすることにより、外枠を内枠へかぶせる際の展張を一層確実なものとしている。
そしてまた、特に、フィルム、シート類がプロジェクションスクリーン用のレンズシートの展張支持には、有効である。
【０００６】
【実施例】
本発明のフィルム、シート類の展張支持治具の実施例を挙げ、図にもとづいて説明する。
先ず実施例１のフィルム、シート類の展張支持治具を挙げる。
図１（ａ）は、本実施例の枠体からなるフィルム、シート類の展張支持治具を用いて展張支持を完了した後の状態を示した平面図で、図１（ｂ）は、図１（ａ）のＡ１−Ａ２における断面図であり、図２（ａ）は本実施例展張支持治具の外枠の平面図、図２（ｂ）は内枠の平面図で、図２（ｃ）は図２（ｂ）に示す内枠のＢ１−Ｂ２における断面である。
図１、図２中、１００は枠体、１１０は内枠、１１１は凹部、１１２は傾斜面、１１３は嵌合凹部、１１４は前面部、１１５は側面部、１２０は外枠、１２１は突起部（爪部）、１２３は嵌合凸部、１２４は側面部、１３０は嵌合部、１４０はリニアフレネルレンズシートである。
本実施例のフィルム、シート類の展張支持治具は、図１に示すように、内枠１１０と外枠１２０とからなるもので、キャビネット（図示していない）等に固定された内枠１１０の前面部１１４と側面部１１５に、リニアフレネルレンズシート１４０を介して、外枠１２０をかぶせることにより、リニアフレネルレンズシート１４０を展張支持するものである。あるいは、内枠１１０にレンズシートを展張してからキャビネットに固定するものである。作業効率からは後者の方が良い。
図１に示すように、内枠１１０に外枠１２０をリニアフレネルレンズシート１４０を介してかぶせ、嵌合凹部１１３に嵌合凸部１２３が嵌合し、内枠１１０と外枠１２０とが固定されるが、リニアフレネルレンズシート１４０は内枠１１０の凹部１１１の傾斜面１１２と外枠１２０の突起部１２１との間に挟まれ確実に支持される。
【０００７】
本実施例のフィルム、シート類の展張支持治具の内枠の４隅（コーナー部）は、図５（ａ）に示すように外側に切込み部１６０を設けた四角形状枠１１０Ａを、切込み部１６０の相対する面１６０Ａ、１６０Ｂにて、一時的に仮り接着して図２（ｂ）に示すように形成したもので、内枠のサイズは、図５（ａ）の点線の部分まで小さくなる。
尚、図５（ａ）（イ）は四角形状枠１１０Ａの１隅（コーナー部）のみを示したもので、図５（ａ）（ロ）は図５（ａ）（イ）のＥ１−Ｅ２における概略断面を示したものである。
この為、図３に示す（後述する）動作により、内枠に外枠をかぶせた後、この仮り接着部が離れることにより、内枠の各辺が枠体１００の外側方向へ拡がろうとする（復元）力を発生し、これにより、リニアフレネルレンズシート１４０を更に展張し、シワや弛みのない状態とすることができるのである。
四角形状枠１１０Ａは、図５（ａ）（ロ）にその断面を示すように、上面１６１側になるに従い、四角形状枠１１０Ａの内側へ向かっている形状をしている為、図５（ａ）に示すように、四角形状枠１１０Ａの四隅（コーナー部）の外側に切込み１６０を設け、且つ、切込み１６０の相対する面１６０Ａ、１６０Ｂを接着し貼り合わすことにより、４隅（コーナー部）が四角形状枠１１０Ａの内側に押し出されるようになり、結局、接着前の四角形状枠１１０Ａより小サイズの内枠１１０を形成するのである。
【０００８】
本実施例においては、外枠１２０及び突起部（爪部）１２１はともに一体ものであり、内枠も一体もので、ポリプロピレンからなっているが、外枠１２０をＡＢＳ樹脂、突起部（爪部）１２１をブタジエンで一体成形したものとしても良い。
外枠１２０の突起部（爪部）１２１は、図３（ｂ）に示すように、外枠１２０に略直交して、対応する内枠側に突出しているが、図３（ｃ）に示すように、リニアフレネルレンズシート１４０を内枠１２０との間に挟む際、所定圧以上が掛かるため、内枠１１０の傾斜面１１２に沿うように、枠の外側に向かい曲がった形状となり、且つ、リニアフレネルレンズシート１４０を押し続けることができる材質であれば、これに限定はされない。
上記のように、外枠１２０には、ポリプロピレンを用いたが、特にこれには限定はされない。他に、ＡＢＳ樹脂、ポリ塩化ビニル等の比較的固い材質が挙げられる。  また、内枠としては、ポリプロピレンを用いたが、これには、特に限定はされないが、ポリ塩化ビニル等の材質が好ましい。
【０００９】
次に、キャビネット等（図示していない）に固定された内枠１１０の上面に、リニアフレネルレンズシート１４０を置き、リニアフレネルレンズシート１４０を介して、外枠１２０をかぶせて展張支持を行う際の動作について、図３をもとに説明する。
先ず、図５（ａ）に示す、切込み部１６０の相対する面１６０Ａ、１６０Ｂを、一時的な接着をするための接着剤コニシＧ１７（コニシボンド株式会社製）にて、図２（ｂ）に示すように貼り合わせる。
尚、切込み部１６０の相対する面１６０Ａ、１６０Ｂの貼り合わせに用いる接着剤コニシＧ１７は、強固に接着するものでなく、１週間程度、接着した後、次第に剥離してくるものである。
この後、内枠１１０の相対する２辺にてリニアフレネルレンズシート１４０の端部を図６に示すように折り曲げて、シワが入らないように接着して、固定する。（図３（ａ））
この場合の接着は、短時間に強固に固定でき、且つ、半永続的に固定できることが好ましい。
次に、外枠１２０を内枠１１０側にかぶせて、内枠１１０側に移動させると、図３（ｂ）に示すように、外枠１２０の突起部１２１が、内枠１１０の傾斜面１１２にリニアフレネルレンズシート１４０を挾みつけ、展張しながら、外枠１２０の嵌合凸部１２３は内枠１１０の側面１１５に沿い、嵌合凹部１１３側へと移動する。
そして、図３（ｃ）に示すように、嵌合凸部１２３が嵌合凹部１１３側に嵌合し、外枠１２０の移動は止まる。
以上の動作により、外枠１２０を内枠１１０側にかぶせ、嵌合凸部１２３が嵌合凹部１１３側に嵌合させることにより、初期の展張と支持動作は終了する。
この後、時間経過とともに、接着材により貼り合わされた内枠１１０の切込み部１６０の相対する面１６０Ａ、１６０Ｂは次第に剥離し、図５（ａ）に示すような状態に戻ろうとする力が働く。この、内枠１１０の４辺が枠体１００の外側に向かい拡がろうとする（復元）力により、リニアフレネルレンズシート１４０が、更に展張される。
この展張動作により、リニアフレネルレンズシート１４０が最終的にシワや弛みのない状態となる。
【００１０】
次に、実施例２のフィルム、シート類の展張支持治具を挙げる。
図４（ａ）は、本実施例の枠体からなるフィルム、シート類の展張支持治具のの外枠の平面図、図２（ａ）は内枠の平面図で、図２（ｃ）は図２（ｂ）に示す外枠のＣ１−Ｃ２における断面で、図２（ｄ）は図２（ｂ）に示す外枠のＤ１−Ｄ２における断面である。
図４中、２１０は内枠、２１１は凹部、２１２は傾斜面、２１３は嵌合凹部、２１４は前面部、２１５は側面部、２２０は外枠、２２１は突起部（爪部）、２２３は嵌合凸部、２２４は側面部、２３０は嵌合部である。
本実施例のフィルム、シート類の展張支持治具も、実施例１と同様に、内枠２１０と外枠２２０とからなるもので、内枠２１０の前面部２１４と側面部２１５に、リニアフレネルレンズシート１４０を介して、外枠２２０をかぶせることにより、リニアフレネルレンズシート１４０を展張支持するものである。
本実施例も、実施例１の場合と同様に、内枠２１０に外枠２２０をリニアフレネルレンズシート１４０を介してかぶせ、嵌合凹部２１３に嵌合凸部２２４が嵌合し、内枠と外枠とが固定されるが、リニアフレネルレンズシート１４０は内枠２１０の凹部２１１の傾斜面２１２と外枠２２０の突起部１２１との間に挟まれ確実に支持される。
本実施例のフィルム、シート類の展張支持治具を用いてリニアフレネルレンズシート１４０の展張支持する手順については、実施例１と同様である。
また、外枠２２０及び突起部（爪部）２２１はともに一体もので、ポリプロピレンからなり、内枠も一体ものでポリプロピレンからなる。
【００１１】
本実施例のフィルム、シート類の展張支持治具の内枠の４隅（コーナー部）は、図５（ｂ）に示すように内側に切込み部１７０を設けた四角形状枠２１０Ａを、切込み部１７０の相対する面１７０Ａ、１７０Ｂにて、一時的に仮り接着して図４（ｂ）に示すように形成したもので、内枠のサイズは、図５（ｂ）の点線の部分まで小さくなる。
尚、図５（ｂ）（イ）は四角形状枠１１０Ｂの１隅（コーナー部）のみを示したもので、図５（ｂ）（ロ）は図５（ｂ）（イ）のＦ１−Ｆ２における概略断面を示したものである。
この為、実施例１の場合と同様に、図３に示す動作により、内枠に外枠をかぶせた後、この仮り接着部が離れることにより、内枠の各辺が枠体の外側方向へ拡がろうとする（復元）力を発生し、これにより、リニアフレネルレンズシート１４０を更に展張し、シワや弛みのない状態とすることができるのである。
四角形状枠１１０Ｂは、図５（ｂ）（ロ）に示す断面をしている為、図５（ｂ）に示すように、四角形状枠２１０Ａの四隅（コーナー部）の内側に切込み１６１を設け、且つ、切込み１６１の相対する面１７０Ａ、１７０Ｂを接着し貼り合わすことにより、４隅（コーナー部）が枠体の内側に押し出されるようになり、結局、接着前の四角形状枠２１０Ａより小サイズの内枠を形成するのである。
【００１２】
上記のように、本発明においては、内枠は、図５に示す４隅（コーナー）に切込み部を設けた枠体に対し、切込み部の相対する面同士を接着剤により、一時的に貼り合わせることにより、接着前の枠体よりも内枠のサイズを小さくし、内枠上にリニアフレネルレンズシートを介して、外枠をかぶせ、嵌合部にて内枠と外枠とを固定した後、上記一時的に接着された面が剥離することにより、接着前の状態に戻ろうとする力を利用するもので、特に、上記実施例に限定されるものでない。
また、上記実施例においては、リニアフレネルレンズシート１枚を展張支持する場合について述べてきたが、複数枚のフィルム、シート類を展張支持する場合についても、同様にして、本実施例のフィルム、シート類の展張支持治具で、展張支持できる。
【００１３】
【効果】
本発明は、上記のように、簡単な構造で、且つ、確実にフィルム、シート類の展張支持ができる、フィルム、シート類の展張支持治具の提供を可能とするものである。
特に、プロジェクション用スクリーンに使用される、自立性のない薄いフィルムから成るリニアフレネルレンズフィルムを展張する際に、展張支持を確実にできる簡単な治具の提供を可能にした。
【図面の簡単な説明】
【図１】実施例１のフィルム、シート類の展張治具の図
【図２】実施例１のフィルム、シート類の展張治具の外枠、内枠の図
【図３】実施例１のフィルム、シート類の展張治具の要部断面における展張動作を説明するための図
【図４】実施例２のフィルム、シート類の展張治具の外枠、内枠の図
【図５】実施例の内枠の４隅（コーナー部）を説明するための図
【図６】本発明の展張支持動作におけるフィルム、シート類の内枠への接着の仕方を説明する図
【符号の説明】
１００                        枠体
１１０、２１０                内枠
１１１、２１１                凹部
１１２、２１２                傾斜面
１１３、２１３                嵌合凹部
１１４、２１４                前面部
１１５、２１５                側面部
１２０、２２０                外枠
１２１、２２１                突起部（爪部）
１２３、２２３                嵌合凸部
１２４、２２４                側面部
１３０                        嵌合部
１４０                        リニアフレネルレンズシート
１１０Ａ、２１０Ａ            四角形状枠
１６０                        切込み部
１６０Ａ、１６０Ｂ            （切込み部の）面
１６１                        前面
１７０                        切込み部
１７０Ａ、１７０Ｂ            （切込み部の）面
【図１】
0003667391.tif 000002
【図２】
0003667391.tif 000003
【図３】
0003667391.tif 000004
【図４】
0003667391.tif 000005
【図５】
0003667391.tif 000006
【図６】
0003667391.tif 000007